(57)【特許請求の範囲】
【請求項１】
ディスクの装着孔を被嵌させるために装置本体に設けられるディスク装着部と、
下部を前記装置本体下部に枢着されて、前記ディスクを挿入・排出する際の半開き状態と、前記ディスクを前記ディスク装着部に被嵌させて録音・再生可能な状態に収納する閉止状態と、の間で回動自在な蓋体と、
前記蓋体の内側に設けられたガイド部材に案内されて前記蓋体内を上下方向にスライド自在に設けられ、前記蓋体が前記半開き状態から前記閉止状態の直前に至るまでの間、前記ディスクを支持するスライド部材と、
前記装置本体内に固設されるカムベースと、
前記スライド部材と前記カムベースとに連係接続されるカムアームと、を具備し、
前記ディスクを挿入する際には、前記蓋体を半開き状態として、前記ディスクを、その上部を外部に露出させた状態で、上方位置にある前記スライド部材に支持させ、前記蓋体を閉じると、前記ディスクが前記スライド部材と共に下方にスライドして録音・再生が可能な閉止状態となり、この状態から前記蓋体を開くと、前記ディスクが前記スライド部材と共に上方にスライドして前記ディスクの上部を外部に露出させた半開き状態となるように構成したことを特徴とする縦型ディスク挿入排出機構。
【請求項２】
前記蓋体が閉止状態にある時に、前記カムアームを前記装置本体側に掛止させることにより前記蓋体を前記装置本体に対してロックするロック機構を設けたことを特徴とする請求項１に記載の縦型ディスク挿入排出機構。
【請求項３】
前記蓋体が半開き状態にある時には前記ディスクを前記スライド部材から離間させて支持するディスク持ち上げ機構を設けたことを特徴とする請求項１または２に記載の縦型ディスク挿入排出機構。
【請求項４】
前記装置本体内に、前記カムアームに伝動連結される駆動源を設け、該駆動源により、前記蓋体を、スライド部材と共に、回動動作させることを特徴とする請求項１ないし３のいずれかに記載の縦型ディスク挿入排出機構。
【請求項５】
前記カムアームの一端を前記スライド部材に枢着させる一方、前記カムアームの他端に設けたスライダーを前記カムベースに形成したカム溝に遊嵌させると共に、前記カムアームに形成した長孔に、前記装置本体側に設けた支点軸を遊嵌させたことを特徴とする請求項１ないし４のいずれかに記載の縦型ディスク挿入排出機構。
【請求項６】
前記ロック機構が、前記スライダーをロックするために前記カム溝の端部に折曲形成されたスライダー掛止部であることを特徴とする請求項５に記載の縦型ディスク挿入排出機構。
【請求項７】
半開き状態の前記蓋体に閉じ方向の外力を作用させた時に、前記蓋体を閉じ方向に無理なく回動させるために、前記カムアームに形成した長孔の端部には、前記装置本体側に設けた支点軸の前記長孔に対する相対的な移動を許容するための逃げ部を形成したことを特徴とする請求項５または６に記載の縦型ディスク挿入排出機構。
【請求項８】
前記蓋体の開閉動作に連動する前記カムアームの変位状態を検出する検出手段を設けると共に、該検出手段からの検出信号を受け、前記蓋体の開閉動作を制御するために、前記駆動源に制御信号を出力する制御手段を設けたことを特徴とする請求項７に記載の縦型ディスク挿入排出機構。
【請求項９】
前記ディスク持ち上げ機構は、前記スライド部材の内側に突出するように回動自在に設けられたレバー体と、該レバー体を回動させるために、前記蓋体の内側に前記レバー体に対応して設けられたカム状部材からなることを特徴とする請求項３ないし８に記載の縦型ディスク挿入排出機構。
【発明の詳細な説明】
【０００１】
【発明の属する技術分野】
本発明は、例えば、ＣＤやＤＶＤ等のＤＩＳＣを録音・再生するためのオーディオ機器に設けられる縦型ディスク挿入排出機構に関する。
【０００２】
【従来の技術】
ＣＤやＤＶＤ等のＤＩＳＣを演奏するための携帯可能なコンパクト化されたオーディオ機器では、例えば、図１１，１２に示すように、装置本体１００の前面に設けた蓋体１０１を開閉操作して、ＤＩＳＣ１０２の出し入れをおこなうように構成される。
【０００３】
その蓋体１０１は、図示のように、その下部が装置本体１００の下部に回動自在に枢着され、ＤＩＳＣ１０２の出し入れが可能な程度の半開き状態まで開放が許容され、それ以上の外方への回動は規制されている。
【０００４】
このような半開きの状態で、ＤＩＳＣ１０２を蓋体１０１の内面に沿わせるように差し入れた後、蓋体１０１を閉じると、ＤＩＳＣ中央の開孔１０３が、装置本体１００に設けられたメカニズム１０４に被嵌装着され、録音・再生が可能な状態となる。そして、録音・再生の終了後には、取り出しボタン（図示省略）を操作すると、蓋体１０１が自動的に半開き状態となり、ＤＩＳＣ１０２を取り出すことができる。
【０００５】
【発明の解決しようとする課題】
ところが、前述したような、従来の縦型ディスク挿入排出機構では、ＤＩＳＣ１０２を取り出す際に、そのＤＩＳＣ１０２が蓋体１０１の奥に隠れた状態で収納されており、しかも、蓋体１０１の内面にへばりついているため、取り出しにくいという問題があった。
【０００６】
また、ＤＩＳＣ１０２を挿入する際には、ＤＩＳＣ１０２を蓋体１０１の奥まで差し入れるため挿入しにくくもあり、挿入した状態が、蓋体１０１によって隠されてしまうために、外部から挿入状態を明確に確認できないという問題もあった。
【０００７】
本発明は、このような実情に鑑みてなされ、ディスクの出し入れ操作が容易でディスクを外部から容易に視認できる縦型ディスク挿入排出機構を提供することを目的とする。
【０００８】
【課題を解決するための手段】
本発明は、上述の課題を解決するための手段を以下のように構成している。
【０００９】
（１）ディスクの装着孔を被嵌させるために装置本体に設けられるディスク装着部と、
下部を前記装置本体下部に枢着されて、前記ディスクを挿入・排出する際の半開き状態と、前記ディスクを前記ディスク装着部に被嵌させて録音・再生可能な状態に収納する閉止状態と、の間で回動自在な蓋体と、
前記蓋体の内側に設けられたガイド部材に案内されて前記蓋体内を上下方向にスライド自在に設けられ、前記蓋体が前記半開き状態から前記閉止状態の直前に至るまでの間、前記ディスクを支持するスライド部材と、
前記装置本体内に固設されるカムベースと、
前記スライド部材と前記カムベースとに連係接続されるカムアームと、を具備し、
前記ディスクを挿入する際には、前記蓋体を半開き状態として、前記ディスクの上部を外部に露出させた状態で、上方位置にある前記スライド部材に支持させ、前記蓋体を閉じると、前記ディスクが前記スライド部材と共に下方にスライドして録音・再生が可能な閉止状態となり、この状態から前記蓋体を開くと、前記ディスクが前記スライド部材と共に上方にスライドして前記ディスクの上部を外部に露出させた半開き状態となるように構成したことを特徴とする。
【００１０】
この構成においては、ディスクを挿入する際には、ディスクが、その上部を蓋体から外部に露出した状態でスライド部材に支持されるので、その挿入状態を外部から明確に確認することができる。また、ディスクを蓋体の奥まで差し入れなくてもよいため、挿入作業が容易となる。
【００１１】
その蓋体を閉じると、そして、スライド部材が、カムアームを介して、カムベースに連係接続されていることで、蓋体の閉動作に連動してスライド部材が下動し、ディスクが下方にスライドして録音・再生が可能な閉止状態となる。
【００１２】
その閉止状態から蓋体を開くと、蓋体の開動作に連動してスライド部材が上動し、ディスクの上部が蓋体から外部に露出した状態となり、ディスクを外部から明確に確認することができ、ディスクを取り出しやすくなる。
【００１３】
（２）前記蓋体が閉止状態にある時に、前記カムアームを前記装置本体側に掛止させることにより前記蓋体を前記装置本体に対してロックするロック機構を設けたことを特徴とする。
【００１４】
この構成においては、ロック機構によって蓋体の閉止状態がロックされるため、搬送中や録音・再生時等に不用意に蓋体が開放されるのを防止できる。
【００１５】
（３）前記蓋体が半開き状態にある時には前記ディスクを前記スライド部材から離間させて支持するディスク持ち上げ機構を設けたことを特徴とする。
【００１６】
この構成においては、蓋体が半開き状態に開かれた時には、厚さの薄いディスクが、ディスク持ち上げ機構により、スライド部材から離間された状態に持ち上げられるため、ディスクを取り出しやすくなり、また、挿入しやすくなる。
【００１７】
（４）前記装置本体内に、前記カムアームに伝動連結される駆動源を設け、該駆動源により、前記蓋体を、スライド部材と共に、回動動作させることを特徴とする。
【００１８】
この構成においては、装置本体内に設けた駆動源により、カムアームを介して、蓋体をスライド部材と共に回動させるので、蓋体の開閉操作が自動化され使い勝手が向上する。
【００１９】
（５）前記カムアームの一端を前記スライド部材に枢着させる一方、前記カムアームの他端に設けたスライダーを前記カムベースに形成したカム溝に遊嵌させると共に、前記カムアームに形成した長孔に、前記装置本体側に設けた支点軸を遊嵌させたことを特徴とする。
【００２０】
この構成においては、蓋体の開閉動作とスライド部材の上下動作が、カムアームを介して、連動するので、特に、装置本体内に駆動源を設ける場合には、例えば、カムアームの他端に設けたスライダーを駆動源と伝動連結させることにより、単一の駆動源で蓋体とスライド部材とを連動動作させることができる。
【００２１】
（６）前記ロック機構が、前記スライダーをロックするために前記カム溝の端部に折曲形成されたスライダー掛止部であることを特徴とする。
【００２２】
この構成においては、カムベースに形成したカム溝の端部にスライダー掛止部を折曲形成することにより、蓋体が閉止状態にある時に、前記スライダー掛止部に、カムアームに設けたスライダーを掛止させることで、前記蓋体が不用意に開放しないようにロックすることができる。
【００２３】
（７）半開き状態の前記蓋体に閉じ方向の外力を作用させた時に、前記蓋体を閉じ方向に無理なく回動させるために、前記カムアームに形成した長孔の端部には、前記装置本体側に設けた支点軸の前記長孔に対する相対的な移動を許容するための逃げ部を形成したことを特徴とする。
【００２４】
この構成においては、半開き状態の蓋体に閉じ方向の外力を作用させた時に、カムアームの長孔の端部に形成した逃げ部に、装置本体側に設けた支点軸が逃げ込むことで、装置本体に対するカムアームの移動が許容されるため、蓋体が閉じ方向に容易に回動（始動）する。
【００２５】
（８）前記蓋体の開閉動作に連動する前記カムアームの変位状態を検出する検出手段を設けると共に、該検出手段からの検出信号を受け、前記蓋体の開閉動作を制御するために、前記駆動源に制御信号を出力する制御手段を設けたことを特徴とする。
【００２６】
この構成においては、例えば、蓋体の閉じ方向への回動（始動）動作を検出手段で検出して、その検出信号を受けた制御手段により、駆動源を駆動させて、蓋体を自動的に閉じるようにすることができる。従って、当初、半開き状態の蓋体を少し閉じ方向に押し込むだけで、後は、自動的に蓋体を閉じることができ、使い勝手が顕著に向上する。
【００２７】
また、閉蓋状態にて、（蓋開きボタンから）蓋体を開くための信号を制御手段が受信すると、駆動源を（逆転）駆動させて、蓋体を半開き状態まで開放するようにすることができ、その半開き状態では、ディスクの上部が外部に露出しているため、取り出しやすく、使い勝手が顕著に向上する。
【００２８】
（９）前記ディスク持ち上げ機構は、前記スライド部材の内側に突出するように回動自在に設けられたレバー体と、該レバー体を回動させるために、前記蓋体の内側に前記レバー体に対応して設けられたカム状部材と、からなることを特徴とする。
【００２９】
この構成においては、蓋体の開閉動作により、スライド部材と蓋体とが相対的に変位することを利用して、開蓋時には、カム状部材によってレバー体をスライド部材の内側に突出するように回動させることで、別途、ディスクを持ち上げるための操作を必要とすることなく、ディスクをスライド部材から離間させることができ、ディスクの出し入れが容易となり、使い勝手が向上する。
【００３０】
【発明の実施の形態】
以下に、本発明の実施形態に係る縦型ディスク挿入排出機構について図面を参照しつつ詳細に説明する。
図１，図２は、側面と背面を覆うカバーを取り除いた状態のオーディオ機器を示し、また、図３，図４は、オーディオ機器の要部である縦型ディスク挿入排出機構の構成を示す。
【００３１】
これらの図において、符号１は装置本体、２は開閉自在な蓋体で、その下部に設けた支軸２１によって装置本体１に回動自在に枢着され、ディスク３を挿入・排出する際の半開き状態（図１（ａ）（ｂ），図３（ａ）（ｂ）参照）と、ディスク３を、装置本体１に設けられたディスク装着部（メカニズム）４に被嵌させて録音・再生可能な状態に収納する閉止状態（図２（ａ）（ｂ），図４（ａ）（ｂ）参照）と、の間で回動自在となるように構成されている。
【００３２】
５は、ディスク３を支持するためのスライド部材（移動トレイ）で、蓋体２の内側両側部に設けられたガイド部材（ガイドレール）２２（図１０（ｂ）参照）に案内されて蓋体２内を上下方向にスライド自在に設けられ、蓋体２の半開き状態から閉止状態の直前に至るまでの間、ディスク３の下端を支持する。
【００３３】
７は、装置本体１内に立設されたカムベース、８はカムアームであり、カムアーム８の一端を支軸１６によってスライド部材５に回動自在に枢着させる一方、カムアーム８の他端に設けたスライダー１２をカムベース７に形成したカム溝７１に遊嵌させると共に、カムアーム８に形成した長孔８に、装置本体１に設けた支点軸１３を遊嵌させている。
【００３４】
このような構成により、ディスク３を挿入する際には、蓋体２を半開き状態として、ディスク３の上部を外部に露出させた状態で、その下部を上方位置にあるスライド部材５のディスク支持部５１に支持させることができる（図３（ａ）（ｂ）参照）。
【００３５】
従って、ディスク３を挿入する際には、ディスク３の上部が蓋体２から外部に露出した状態となるため、その挿入状態を外部から明確に確認することができる。また、ディスク３を蓋体２の奥まで差し入れなくてもよいため、挿入作業が容易となる。
【００３６】
蓋体２を閉じると、ディスク３がスライド部材５と共に下方にスライドして録音・再生が可能な閉止状態となる（図４（ａ）（ｂ）参照）。録音・再生が終了した後、蓋体２を開くと、ディスク３がスライド部材５と共に上方にスライドしてディスク３の上部を外部に露出させた状態となるので、ディスク３を外部から明確に確認することができ、ディスク３を取り出しやすくなる。なお、蓋体２を開いた時のスライド部材５の上昇動作によるディスク３の飛び出しを防止するために、スライド部材５の内面側にディスク押さえ用の突起５５，５５を設けている。
【００３７】
このような蓋体２の開閉動作は、例えば、図示は省略するが、蓋体２を開方向に付勢する戻しばねを設けることによっても半自動的におこなうことができる。すなわち、蓋体２を閉じるには、戻しばねの付勢力に抗して蓋体２を閉じ方向に押し込むことで蓋体２をラッチさせればよく、蓋体２を開くには、ボタン操作等により蓋体２のラッチを解除すれば、蓋体２を戻しばねの付勢力で開かせるようにすればよい。
【００３８】
しかし、蓋体２の開閉操作性を向上させるために、装置本体１内に駆動源（モータ）９（図１（ｂ）参照）を設け、そのモータ９により、蓋体２を自動的に開閉できるようにするのが好ましい。この場合、モータ９を、装置本体１に設けたギヤブロック１０を介してピボットギヤ１１と伝動連結させ、そのピボットギヤ１１の先端に形成した長孔１１２を、カムアーム８の他端に設けたスライダー１２に移動自在に被嵌させればよい。なお、カムベース７、カムアーム８、ピボットギヤ１１の単独形状については図５に示される。
【００３９】
上述のピボットギヤ１１の回動中心となるピボット軸１１１は、カムベース７の上部に回動自在に枢着され、そのピボット軸１１１から放射状に配設された一対の被接触子１１３，１１４に接触する接触子１４１を有するモードスイッチ（検出手段）１４が設けられ、そのピボットギヤ１１の回動状態で、蓋体２の開閉状態を検出することができる。
【００４０】
そのモードスイッチ１４には、蓋体２の開閉動作を制御するための制御手段としてのコントローラ（ＣＴＲ）１５が接続され、そのコントローラ１５の出力側にはモータ９が接続されており、従って、後述するように、蓋体２の開閉状態をモードスイッチ１４で検出することにより、蓋体２を自動的に開閉することができる。
【００４１】
ところで、図５（ａ）に示すように、蓋体２が閉止状態にある時には、蓋体２はロック機構２０によってロックされており、搬送中や、録音・再生時等に不用意に蓋体２が開放されることのないようにしている。そのロック機構２０は、例えば、図５（ｂ）に示すように、カム溝７１の端部にやや上方に向けて折曲形成されたスライダー掛止部７２を設け、そのスライダー掛止部７２にスライダー１２をロックさせるように構成することができる。
【００４２】
このロック機構２０について説明すると、そのスライダー掛止部７２の外溝壁７２１は、ピボット軸１１１を中心とする円弧状の回動軌跡に沿う曲面状に形成されるのに対して、内溝壁７２２は直線状に形成されている。従って、蓋体２に開き方向の外力を作用させて、カムアーム８を介して、スライダー１２に外力Ｆ１が作用した時には、スライダー１２は直線状の内溝壁７２２に掛止されて移動できず、蓋体２はロックされることとなる。これに対して、モータ９からの駆動力により、ピボットギヤ１１を介してスライダー１２に外力Ｆ２が作用すると、スライダー１２は外溝壁７２１に沿って移動し、蓋体２は開放される。
【００４３】
また、本実施形態では、半開き状態の蓋体２を閉じ方向に無理なく容易に回動（始動）させるために、図６および図７に示すように、装置本体１に設けた支点軸１３が、カムアーム８に形成した長孔８１の端部に引っ掛からないように、その端部を少し切り込んで逃げ部８２を形成している。
【００４４】
その逃げ部８２の下側壁８２１は、概ねスライダー１２の軌跡に沿う方向に形成されており、この逃げ部８２によって、図６に示すように、半開き状態にある蓋体２に対して閉じ方向にわずかの押力を作用させるのみで、支点軸１３が逃げ部８２に逃げ込み、図７に示すように、蓋体２がわずかに回動（始動）する。
【００４５】
この時、スライダー１２の移動によって、ピボットギヤ１１が図示時計まわりに回動し、モードスイッチ１４の接触子１４１が被接触子１１３から外れるため、蓋体２の回動（始動）動作が検出され、その検出信号によって、コントローラ１５からの指令でモータ９が駆動されることにより、カムアーム８を介して蓋体２が自動的に閉じられ閉止状態でロックされることとなる。
【００４６】
一方、（図示省略の蓋開きボタンから）閉蓋状態にある蓋体２を開くための信号をコントローラ１５が受信すると、モータ９を（逆転）駆動させて、蓋体２を半開き状態まで開放する。その間に、スライド部材５が上方に移動してディスク３の上部を外部に露出させるので、ディスク３を取り出しやすく、使い勝手が顕著に向上する。
【００４７】
そして、開蓋状態でスライド部材５が上方位置に移動した時には、図９に示すように、ディスク持ち上げ機構１７によって、ディスク３を、スライド部材５から離間させた状態に支持させ、ディスク３の出し入れを容易としている。
【００４８】
このディスク持ち上げ機構１７は、図８ないし図１０に示すように、スライド部材５の内側に回動自在に設けられる一対のレバー体１８，１８と、そのレバー体１８，１８を回動させるために、蓋体２の内側に設けられた一対のカム状部材１９，１９からなる。
【００４９】
より詳しく説明すると、ディスク３の挿入・排出時に蓋体２が半開き状態に開放されている時には、図８（ａ）（ｂ）に示すように、ディスク３の上部が、蓋体２から露出した状態で、その下部をスライド部材５の下部に突設したディスク受け部材５１によって支持され、かつ、突出した一対のレバー体１８，１８によって、ディスク３の上部がスライド部材５から離間された状態となる。
【００５０】
この状態から蓋体２が閉じられると、ディスク３がスライド部材５と共に下方にスライドし、かつ、レバー体１８，１８が回動してスライド部材５内に没入し、図８（ｃ）に示すように、ディスク３の装着孔３１が、ディスク装着部４に被嵌して録音・再生可能な状態となり、録音・再生終了後に、蓋体２を開くと、再び図８（ａ）（ｂ）の状態に復帰する。
【００５１】
このようなディスク３の持ち上げ動作について説明する前に、スライド部材５の蓋体２への組み付け対応図を示す図１０に基づいて、蓋体２とスライド部材５の取り合い関係等について説明すると、まず、スライド部材５の両側部には、凹状の遊嵌溝５２，５２が形成されており、その遊嵌溝５２，５２が、蓋体２の内側部に設けられたガイドレール２２，２２にスライド自在に遊嵌し、スライド部材５と蓋体２とが、相対的に上下動自在となっている。なお、図１０（ａ）はスライド部材５の背面側（外側）の斜視図を示し、図１０（ｂ）は蓋体２の内面側の斜視図を示す。
【００５２】
レバー体１８は、図９（ｄ）に示すように、ディスク３に当接するパッド１８１を貼着したヘッド部１８２と、その背面側に形成されてカム状部材１９のカム面１９１，１９２，１９３に摺接する山形状に形成された摺接部１８３と、両側に突設された支軸１８４と、を有し、図１０（ａ）に示すように、スライド部材５の中央両側に開設された開口５３，５３からヘッド部１８２，１８２を内面側に突出自在となるように、各開口５３の下部に突設した軸受け５４，５４に、支軸１８４を回動自在に支持させるように組付けられる。
【００５３】
カム状部材１９は、図９（ｄ）に示すように、傾斜状のカム面１９３を介して段違い状に連続する２つのカム面１９１，１９２と、カギ状に形成された掛止部１９４と、を有し、図１０（ｂ）に示すように、ディスク装着部４を嵌め込むために蓋体２の中央部に開設された孔部２３の両側に開設された開口２４，２４に嵌装され、それぞれ３つのカム面１９１，１９２，１９３を内面側に露出させた状態として、スライド部材５に組み込まれたレバー体１８，１８の摺接部１８３，１８３に対応させている。なお、蓋体２の下部両側には、支軸２１を支持するブラケット２５，２５が内側に向けて突設されている。
【００５４】
このような構成により、蓋体２が閉止状態にある時には、図９（ａ）に示すように、スライド部材５は下部位置にあり、レバー体１８の摺接部１８３はカム状部材１９の低いカム面１９２に摺接し、ヘッド部１８２はスライド部材５の開口５３内に没入しパッド１８１を開口５３から覗かせているが、ディスク３は蓋体２内に収納されて録音・再生可能な状態になっている。
【００５５】
この状態から、蓋体２が開放されると、図９（ｂ）に示すように、スライド部材５が上方に移動しディスク３も上方に移動するが、レバー体１８の摺接部１８３は依然としてカム状部材１９の低いカム面１９２に摺接しているため、ヘッド部１８２はスライド部材５の開口５３内に没入したままで、ディスク３は持ち上げられない。なお、蓋体２を開放した時のスライド部材５の上昇動作によるディスク３の飛び出しは、スライド部材５の内面側に設けたディスク押さえ用の突起５５，５５によって防がれる。
【００５６】
さらに、蓋体２が限度まで開かれると、図９（ｃ）に示すように、スライド部材５が上部位置に上昇し、ディスク３の上部が蓋体２から充分に露出し、かつ、レバー体１８の摺接部１８３が傾斜したカム面１９３を乗り越えて高い位置のカム面１９１に摺接するため、ヘッド部１８２がスライド部材５の開口５３から突出し、パッド１８１によってディスク３が内方に持ち上げられ、スライド部材５から離間し、取り出しやすい状態となる。なお、ディスク３を挿入する際にも、このような状態となるため、その挿入状態を外部から明確に確認することができる。
【００５７】
以上説明したように、蓋体２の開閉動作により、スライド部材５が蓋体２に対して相対的に連動して変位する構成を利用して、開蓋時には、レバー体１８，１８によってディスク３をスライド部材５から離間させる（持ち上げる）ことができ、ディスク３の出し入れが容易となり、使い勝手が顕著に向上する。
【００５８】
【発明の効果】
以上の説明で明らかなように、本発明は以下の効果を奏する。
【００５９】
（１）ディスクを挿入する際には、ディスクが、その上部を蓋体から外部に露出した状態でスライド部材に支持されるので、その挿入状態を外部から明確に確認することができる。また、ディスクを蓋体の奥まで差し入れなくてもよいため、挿入作業が容易となる。
【００６０】
また、ディスクを取り出す際にも、蓋体が半開き状態になると、ディスクの上部が蓋体から外部に露出した状態となるので、ディスクを外部から明確に確認することができ、ディスクを取り出しやすくなる。
【００６１】
（２）ロック機構によって蓋体の閉止状態がロックされるため、搬送中や録音・再生時等に不用意に蓋体が開放されることによるトラブルの発生を未然に防止することができる。
【００６２】
（３）蓋体が開かれた時には、ディスク持ち上げ機構により、厚さの薄いディスクが、スライド部材から離間された状態に持ち上げられるので、ディスクを取り出しやすくなり、また、挿入しやすくなる。
【００６３】
（４）装置本体内に設けた駆動源により、カムアームを介して、蓋体をスライド部材と共に回動させるので、蓋体の開閉操作が自動化され、使い勝手が向上する。
【００６４】
（５）蓋体の開閉動作とスライド部材の上下動作が、カムアームを介して、連動するので、特に、装置本体内に駆動源を設ける場合には、例えば、カムアームの他端に設けたスライダーを駆動源と伝動連結させることにより、単一の駆動源で蓋体とスライド部材とを連動動作させることができる。
【００６５】
（６）カムベースに形成したカム溝の端部にスライダー掛止部を折曲形成して、蓋体の閉止時には、前記スライダー掛止部に、カムアームに設けたスライダーを掛止させるので、前記蓋体が不用意に開放しないようにロックすることができる。
【００６６】
（７）半開き状態の蓋体に閉じ方向の外力を作用させた時に、カムアームの長孔の端部に形成した逃げ部に、装置本体側に設けた支点軸が逃げ込むので、装置本体に対するカムアームの移動が許容され、蓋体が閉じ方向に容易に回動（始動）する。
【００６７】
（８）蓋体の閉じ方向への回動（始動）動作を検出手段で検出して、その検出信号を受けた制御手段により、駆動源を駆動させて、蓋体を自動的に閉じるように構成できるので、当初、半開き状態の蓋体を少し閉じ方向に押し込むだけで、後は、自動的に蓋体を閉じることができ、使い勝手が顕著に向上する。
【００６８】
また、閉蓋状態にて、（蓋開きボタンから）蓋体を開くための信号を制御手段が受信すると、駆動源を（逆転）駆動させて、蓋体を半開き状態まで開放するように構成できるので、その半開き状態では、ディスクの上部が外部に露出しているため、取り出しやすく、使い勝手が顕著に向上する。
【００６９】
（９）蓋体の開閉動作により、スライド部材と蓋体とが相対的に変位することを利用して、開蓋時には、カム状部材によってレバー体がスライド部材の内側に突出するように回動させることにより、ディスクをスライド部材から離間させるので、ディスクの出し入れが容易となり、使い勝手が向上する。
【図面の簡単な説明】
【図１】本発明の実施形態に係るオーディオ機器の開蓋状態の斜視図である。
【図２】同オーディオ機器の閉蓋状態の斜視図およびディスク位置の説明図である。
【図３】同開蓋状態の縦型ディスク挿入排出機構の要部構成の説明図である。
【図４】同閉蓋状態の縦型ディスク挿入排出機構の要部構成の説明図である。
【図５】同要部部品の説明図である。
【図６】同開蓋状態における逃げ部とスライダーの対応状態の説明図である。
【図７】同スライダーが逃げ部に移動した状態の説明図である。
【図８】同ディスク持ち上げ動作の概略説明図である。
【図９】同ディスク持ち上げ動作の詳細説明図である。
【図１０】同蓋体とスライド部材の組み付け対応図である。
【図１１】従来のオーディオ機器の開蓋状態の斜視図である。
【図１２】同蓋開閉動作の説明図である。
【符号の説明】
１−装置本体
２−蓋体
２２−ガイド部材
３−ディスク
３１−装置孔
４−ディスク装着部
５−スライド部材
７−カムベース
７１−カム溝
７２−スライダー掛止部
８−カムアーム
８１−長孔
８２−逃げ部
９−駆動源
１２−スライダー
１３−支点軸
１４−検出手段
１５−制御手段
１７−ディスク持ち上げ機構
１８−レバー体
１９−カム状部材
２０−ロック機構
【図１】
0003732778.tif 000002
【図２】
0003732778.tif 000003
【図３】
0003732778.tif 000004
【図４】
0003732778.tif 000005
【図５】
0003732778.tif 000006
【図６】
0003732778.tif 000007
【図７】
0003732778.tif 000008
【図８】
0003732778.tif 000009
【図９】
0003732778.tif 000010
【図１０】
0003732778.tif 000011
【図１１】
0003732778.tif 000012
【図１２】
0003732778.tif 000013